(57)【特許請求の範囲】
【請求項１】
移動方向に複数に分割された板材間に装飾板を配置することにより構成される装飾板付引き戸において、
前記複数の板材の下端面に、引き戸の移動方向に一連に溝を設け、該溝を上下に溝部を有する断面Ｈ形の金属材の上部側の形状と一致するように形成して１本の金属材を各板材の当該溝に嵌合させて装着することにより、前記複数の板材を前記金属材で連結してすべての板材を一体に保持し、かつ前記装飾板の下端部を前記金属材の上部側の溝部に嵌め込むことにより、前記装飾板を前記金属材で支持して全一体に構成し、金属材がガイドレールを兼ねるようにしたことを特徴とする装飾板付引き戸。
【請求項２】
請求項１記載の装飾板付き引き戸において、
前記装飾板はガラス板としたことを特徴とする装飾板付き引き戸。
【請求項３】
請求項１記載の装飾板付き引き戸において、
前記装飾板はプラスチック板としたことを特徴とする装飾板付き引き戸。
【請求項４】
請求項１記載の装飾板付き引き戸において、
前記金属材の下部側の溝部を、床に設けたダボと嵌合させることを特徴とする装飾板付き引き戸。
【発明の詳細な説明】
【技術分野】
【０００１】
本発明は、左右方向に分割された板材間にガラス板等の装飾板を嵌め込んで構成される装飾板付き引き戸に関するものである。
【背景技術】
【０００２】
住宅内等に設けられる引き戸の構造として、近年バリアフリーの観点から従来より床に設置されていたレールや溝を省略したものが普及してきており、このようなバリアフリータイプの引き戸の構造として、例えば、特許文献１に開示されたものが提案されている。
この特許文献１に開示された引き戸は、引き戸本体の上部に装着した走行用部材を、部屋の引き戸取付け部の上部に開口部を下向きにして取付けた上部ガイドレールに移動可能に装着し、また引き戸本体の下面に設けた溝に取付けた樹脂製の保護材を、床に設けた触れ止め装置の回転体（ダボ）に嵌合させることにより、引き戸本体をガイドレールにそって移動可能にした構造となっている。
【先行技術文献】
【特許文献】
【０００３】
【特許文献１】特開２００７−９４７０号公報
【発明の概要】
【発明が解決しようとする課題】
【０００４】
しかしながら、上述した従来の技術では、以下の問題がある。
すなわち、住宅内等に設けられる引き戸には、各種のデザインのものがあるが、その１つとして引き戸を構成する板材を、引き戸の移動（開閉）方向に複数に分割（例えば左右に２分割）し、その分割した板材間にガラス板やプラスチック等の装飾板を配置するタイプの装飾板付き引き戸があるが、このような装飾板付き引き戸では、上記のような引き戸本体の下面に設けた溝に取付ける保護材の他に、左右の板材を連結するための連結材や、ガラスを支持固定するための溝等が必要となり、部品点数や加工工数が増加することになる。
本発明は、このような問題を解決することを課題とする。
【課題を解決するための手段】
【０００５】
そのため、本発明は、移動方向に複数に分割された板材間に装飾板を配置することにより構成される装飾板付引き戸において、前記複数の板材の下端面に、引き戸の移動方向に一連に溝を設け一連に溝を設け、該溝を上下に溝部を有する断面Ｈ形の金属材の上部側の形状と一致するように形成して１本の金属材を各板材の当該溝に嵌合させて装着することにより、前記複数の板材を前記金属材で連結してすべての板材を一体に保持し、かつ前記装飾板の下端部を前記金属材の上部側の溝部に嵌め込むことにより、前記装飾板を前記金属材で支持して全一体に構成し、金属材がガイドレールを兼ねるようにしたものである。
【発明の効果】
【０００６】
このようにした本発明は、断面Ｈ形の金属材が分割された板材との連結材と、ガラス板を支持する支持材を兼ねるようにしているため、部品点数や加工工数を削減できるという効果が得られる。
【図面の簡単な説明】
【０００７】
【図１】第１の実施例を示す要部斜視図
【図２】第１の実施例を示す要部正面図
【発明を実施するための形態】
【０００８】
以下、図面を参照して本発明による装飾板付き引き戸の実施例を説明する。
【実施例１】
【０００９】
図１は第１の実施例を示す要部斜視図、図２は同じく第１の実施例を示す要部正面図である。図において１と２は引き戸を構成する板材で、本実施例では引き戸の移動（開閉）方向である左右方向に２分割されている。３は板材１と２の間に設けられるガラス板（装飾板）で、このガラス板３としては、透明ガラス、色つきガラス、すりガラス、模様入りガラス等が用いられる。
ここで板材１と２は、それぞれ１枚の板または複数枚の板を張り合わせた合板の両面に化粧板を張ることで形成されており、板材１と２の下端面には、左右方向つまり引き戸の移動方向に一連の溝が設けられている。この溝の突き当たり面側は後述する金属材の上部側の形状と一致するように形成されている。また、板材１と２の互いの対向面には、ガラス板３の両側端部を嵌め込む浅い溝が形成されているが、この溝は必ずしも設ける必要はない。
【００１０】
４は上下に溝部４ａ、４ｂを有する断面Ｈ形の１本の金属材で、例えばアルミニウム製のものが用いられるが、ステンレス等の他の金属製であってもよい。
本実施例において、この金属材４は、板材１と２を連結する連結部材と、ガラス板３を支持する支持部材と、ガラス板付き引き戸の動作時のガイドレールを兼ねるもので、板材１と２の下端面に形成された溝に金属材４を溝部４ａ、４ｂが上下方向になる向きで嵌合させて装着することにより、板材１と２を連結しており、そして板材１と２の間に配置されるガラス材３は、その下端部を金属材４の上部側の溝部４ａに嵌め込むことにより金属材４に支持されている。尚、金属材４は必要に応じて溝部４ｂ側からネジ等により板材１と２に固定する。
【００１１】
５はガラス板付き引き戸の移動範囲の所定の位置に立設されたダボ（ポストまたはローラ）で、床６に固定されている。このダボ５はその直径が金属材４の溝部４ｂの幅より小さくなるように形成されており、金属材４の溝部４ｂをこのダボ５と嵌合させることで、ガラス板付き引き戸の下部の移動をガイドする構造としている。
また、板材１と２の上部側は図示しない連結材により連結され、板材１と２に取付けられるローラやそのローラを移動可能に吊下して支持する所定構造のガイドレール等から成る吊下機構により当該引き戸を設ける開口部の上辺に沿って移動可能に吊下されている。
【００１２】
このようなガラス付き引き戸は、吊下機構により左右方向に移動させることで開閉するものであるが、その際、金属材４の溝部４ｂと、この溝部４ｂに嵌合させたダボ５によりガラス板付き引き戸の下部の移動をガイドする。また金属材４の溝部４ｂにダボ５が嵌合していることで、ガラス付き引き戸の下部は、移動方向と直交する方向への振れが防止される。
【００１３】
以上説明したように、第１の実施例では、左右１対の板材１と２の間にガラス板（装飾板）３を嵌め込むことにより構成されるガラス板付き引き戸において、板材１と２の下端面に左右方向つまり引き戸の移動方向に一連の溝を設け、この溝に断面Ｈ形の金属材４を溝部４ａ、４ｂが上下方向になる向きで嵌合させて装着することにより板材１と２を連結し、そして板材１と２の間に配置されるガラス板３は、その下端部を金属材４の上部側の溝部４ａに嵌め込むことにより金属材４に支持する構造として、断面Ｈ形の金属材４が分割された板材１と２の連結材と、ガラス板を支持する支持材を兼ねるようにしているため、部品点数や加工工数を削減できるという効果が得られる。
【００１４】
尚、上述した実施例では、左右方向に２分割された板材１と２の間に設けられるガラス板３を配置する構造としたが、３分割以上に分割された板材間にガラス板を配置する構成の引き戸にも適用可能である。
また、上述した実施例では、装飾板として透明ガラス、色つきガラス、すりガラス、模様入りガラス等のガラス板３を用いるものとしたが、同様のプラスチック板を用いることも可能である。
更に、上述した実施例における断面Ｈ形の金属材４は、上下の溝部４ａ、４ｂの深さを同じにしてもよいが、ガラス板３を支持する上方溝部４ａよりダボ５と嵌合する下方の溝部４ｂの深さを深くする等、上下の溝部４ａ、４ｂの深さを変えるようにしてもよい。
【符号の説明】
【００１５】
１、２  板材
３    ガラス板
４    金属材
４ａ、４ｂ  溝部
５    ダボ
６    床
【図１】
0005619097.tif 000002
【図２】
0005619097.tif 000003